(57)【要約】【課題】閃光撮影時のホワイトバランス制御値を比較的簡単な処理で適切に設定する。【解決手段】閃光発光装置又はその閃光発光装置への接続端子を備えた電子カメラにおいて、外界を撮像して画像データを取得する撮像手段と、前記閃光発光装置による閃光発光中に取得された前記画像データに基づいて、外光と閃光とによる重複照明の色温度を算出する色温度算出手段と、前記算出された色温度である算出色温度に応じて、前記画像データに対するホワイトバランス制御値を決定するホワイトバランス制御値決定手段とを備え、前記ホワイトバランス制御値決定手段は、前記算出色温度が所定範囲（ａ）又は（ｃ）に属するときには、前記ホワイトバランス制御値に対する算出色温度の反映量を低減することを特徴とする。【選択図】　　　図３
2004088684.tif 000002
【特許請求の範囲】
【請求項１】
閃光発光装置又はその閃光発光装置への接続端子を備えた電子カメラにおいて、
外界を撮像して画像データを取得する撮像手段と、
前記閃光発光装置による閃光発光中に取得された前記画像データに基づいて、外光と閃光とによる重複照明の色温度を算出する色温度算出手段と、
前記算出された色温度である算出色温度に応じて、前記画像データに対するホワイトバランス制御値を決定するホワイトバランス制御値決定手段とを備え、
前記ホワイトバランス制御値決定手段は、
前記算出色温度が所定範囲に属するときには、前記ホワイトバランス制御値に対する算出色温度の反映量を低減する
ことを特徴とする電子カメラ。
【請求項２】
請求項１に記載の電子カメラにおいて、
前記ホワイトバランス制御値決定手段は、
前記算出色温度が前記閃光単独の照明の色温度より高いときには、前記ホワイトバランス制御値をその照明に対する最適値に近づける
ことを特徴とする電子カメラ。
【請求項３】
請求項２に記載の電子カメラにおいて、
前記ホワイトバランス制御値決定手段は、
前記算出色温度が前記閃光単独の照明の色温度より高いときには、前記ホワイトバランス制御値をその照明に対する最適値に一致させる
ことを特徴とする電子カメラ。
【請求項４】
請求項１〜請求項３の何れか一項に記載の電子カメラにおいて、
前記ホワイトバランス制御値決定手段は、
前記算出色温度が日中光相当の照明の色温度より低いときには、前記ホワイトバランス制御値を前記閃光単独の照明に対する最適値に近づける
ことを特徴とする電子カメラ。
【請求項５】
請求項４に記載の電子カメラにおいて、
前記ホワイトバランス制御値決定手段は、
前記算出色温度が日中光相当の照明の色温度より低く、かつ夕焼け光相当の照明の色温度より低いときには、前記ホワイトバランス制御値を前記最適値にさらに近づける
ことを特徴とする電子カメラ。
【請求項６】
請求項５に記載の電子カメラにおいて、
前記ホワイトバランス制御値決定手段は、
前記算出色温度が日中光相当の照明の色温度より低く、かつ夕焼け光相当の照明の色温度より低いときには、前記ホワイトバランス制御値を前記最適値に一致させる
ことを特徴とする電子カメラ。
【請求項７】
請求項１〜請求項３の何れか一項に記載の電子カメラにおいて、
前記ホワイトバランス制御値決定手段は、
前記算出色温度が日中光相当の照明の色温度よりも低いときには、前記ホワイトバランス制御値をその照明に対する最適値に近づける
ことを特徴とする電子カメラ。
【請求項８】
請求項１に記載の電子カメラにおいて、
前記閃光の非発光中に前記外光の種類を識別する手段を更に備え、
前記ホワイトバランス制御値決定手段は、
前記識別された種類に応じて、前記算出色温度の範囲と前記反映量との関係を可変する
ことを特徴とする電子カメラ。
【請求項９】
閃光撮影可能な電子カメラに適用されるホワイトバランス制御回路であって、
前記電子カメラによる閃光撮影で取得された画像データに基づいて、外光と閃光とによる重複照明の色温度を算出する色温度算出手段と、
前記算出された色温度である算出色温度に応じて、前記画像データに対するホワイトバランス制御値を決定するホワイトバランス制御値決定手段とを備え、
前記ホワイトバランス制御値決定手段は、
前記算出色温度が所定範囲に属するときには、前記ホワイトバランス制御値に対する算出色温度の反映量を低減する
ことを特徴とするホワイトバランス制御回路。
【請求項１０】
請求項９に記載のホワイトバランス制御回路において、
前記ホワイトバランス制御値決定手段は、
前記算出色温度が前記閃光単独の照明の色温度より高いときには、前記ホワイトバランス制御値をその照明に対する最適値に近づける
ことを特徴とするホワイトバランス制御回路。
【請求項１１】
請求項１０に記載のホワイトバランス制御回路において、
前記ホワイトバランス制御値決定手段は、
前記算出色温度が前記閃光単独の照明の色温度より高いときには、前記ホワイトバランス制御値をその照明に対する最適値に一致させる
ことを特徴とするホワイトバランス制御回路。
【請求項１２】
請求項９〜請求項１１の何れか一項に記載のホワイトバランス制御回路において、
前記ホワイトバランス制御値決定手段は、
前記算出色温度が日中光相当の照明の色温度より低いときには、前記ホワイトバランス制御値を前記閃光単独の照明に対する最適値に近づける
ことを特徴とするホワイトバランス制御回路。
【請求項１３】
請求項１２に記載のホワイトバランス制御回路において、
前記ホワイトバランス制御値決定手段は、
前記算出色温度が日中光相当の照明の色温度より低く、かつ夕焼け光相当の照明の色温度より低いときには、前記ホワイトバランス制御値を前記最適値にさらに近づける
ことを特徴とするホワイトバランス制御回路。
【請求項１４】
請求項１３に記載のホワイトバランス制御回路において、前記ホワイトバランス制御値決定手段は、
前記算出色温度が日中光相当の照明の色温度より低く、かつ夕焼け光相当の照明の色温度より低いときには、前記ホワイトバランス制御値を前記最適値に一致させる
ことを特徴とするホワイトバランス制御回路。
【請求項１５】
請求項９〜請求項１１の何れか一項に記載の電子カメラにおいて、
前記ホワイトバランス制御値決定手段は、
前記算出色温度が日中光相当の照明の色温度よりも低いときには、前記ホワイトバランス制御値をその照明に対する最適値に近づける
ことを特徴とするホワイトバランス制御回路。
【請求項１６】
請求項９に記載のホワイトバランス制御回路において、
前記電子カメラは、
前記外光の種類を識別することの可能な電子カメラであり、
前記ホワイトバランス制御値決定手段は、
前記識別された種類に応じて、前記算出色温度の範囲と前記反映量との関係を可変する
ことを特徴とするホワイトバランス制御回路。
【発明の詳細な説明】
【０００１】
【発明の属する技術分野】
本発明は、閃光撮影（ストロボ撮影）可能な電子カメラ、及びその電子カメラに適用されるホワイトバランス制御回路に関する。
【０００２】
【従来の技術】
一般に、電子カメラ内部のホワイトバランス制御は、撮影された画像や測色センサの出力などから求められた照明の色温度や照明の種類に基づいて行われる。なお、照明の種類に基づくのは、異なる種類の２つの照明（例えば、蛍光灯と自然光）は、仮に同じ色温度であっても、ホワイトバランス制御値の最適値が互いに異なるからである。
【０００３】
一方、閃光撮影時、照明は閃光（ストロボ光）が外光（閃光以外の照明）に重複したものとなるので、理想的なホワイトバランス制御は、外光の種類、外光の色温度、閃光の種類、及び閃光の色温度に基づいて行われる。
但し、実際は、閃光の種類及び閃光の色温度については使用する閃光発光装置にほぼ固有なので、ホワイトバランス制御値の決定方法として現在提案されているのは、次の（１）〜（４）の方法などである。
【０００４】
（１）如何なる外光よりも閃光の方が被写体に与える影響が圧倒的に強いと仮定し、閃光単独の照明に対する最適値にホワイトバランス制御値を固定する。
（２）閃光発光前の予備撮影又は測色センサの出力に基づいて外光の種類と外光の色温度とを求め、そのような外光に対する最適値と、閃光単独の照明に対する最適値とを平均し、その平均値にホワイトバランス制御値を設定する。
【０００５】
（３）（２）においてさらに外界の輝度を測定して閃光の発光量（すなわち閃光の被写体に対する影響度）を予測し、前記平均をその影響度に応じた重み付け平均にする。
（４）閃光発光前の予備撮影又は測色センサの出力に基づいて外光の種類と外光の色温度とを求めると共に、被写体の距離を測定して閃光の被写体への到達量を予測し、外光に対する最適値と閃光単独の照明に対する最適値との何れか一方を、その到達量に応じて選択する（さらには、距離の測定、到達量の予測、及び最適値の選択を、外界の各領域についてそれぞれ行う。）。
【０００６】
【発明が解決しようとする課題】
しかしながら、（１）の方法によると、常に同じホワイトバランス制御値でホワイトバランス制御がなされてしまうので、或る特定の閃光撮影シーンは、極めて不適切に再現されてしまう。例えば、被写体の背景が遠くにあってその背景にはあまり閃光が到達せず、しかも、背景の照明の色温度が低いような閃光撮影シーンは、背景が不自然に赤味がかって再現されることがある。
【０００７】
一方、（２）（３）（４）の何れかの方法を採用した場合、様々な閃光撮影シーンに対応できる可能性はあるものの、処理が複雑である割には再現画像に対するユーザの満足度はあまり高くない。
そこで本発明は、閃光撮影時のホワイトバランス制御値を比較的簡単な処理で適切に設定することのできる（具体的には、（２）（３）（４）の方法よりも簡単な処理で（１）の方法よりも適切に設定することのできる）電子カメラ、及びホワイトバランス制御回路を提供することを目的とする。
【０００８】
【課題を解決するための手段】
請求項１に記載の電子カメラは、閃光発光装置又はその閃光発光装置への接続端子を備えた電子カメラにおいて、外界を撮像して画像データを取得する撮像手段と、前記閃光発光装置による閃光発光中に取得された前記画像データに基づいて、外光と閃光とによる重複照明の色温度を算出する色温度算出手段と、前記算出された色温度である算出色温度に応じて、前記画像データに対するホワイトバランス制御値を決定するホワイトバランス制御値決定手段とを備え、前記ホワイトバランス制御値決定手段は、前記算出色温度が所定範囲に属するときには、前記ホワイトバランス制御値に対する算出色温度の反映量を低減することを特徴とする。
【０００９】
請求項２に記載の電子カメラは、請求項１に記載の電子カメラにおいて、前記ホワイトバランス制御値決定手段は、前記算出色温度が前記閃光単独の照明の色温度より高いときには、前記ホワイトバランス制御値をその照明に対する最適値に近づけることを特徴とする。
請求項３に記載の電子カメラは、請求項２に記載の電子カメラにおいて、前記ホワイトバランス制御値決定手段は、前記算出色温度が前記閃光単独の照明の色温度より高いときには、前記ホワイトバランス制御値をその照明に対する最適値に一致させることを特徴とする。
【００１０】
請求項４に記載の電子カメラは、請求項１〜請求項３の何れか一項に記載の電子カメラにおいて、前記ホワイトバランス制御値決定手段は、前記算出色温度が日中光相当の照明の色温度より低いときには、前記ホワイトバランス制御値を前記閃光単独の照明に対する最適値に近づけることを特徴とする。
請求項５に記載の電子カメラは、請求項４に記載の電子カメラにおいて、前記ホワイトバランス制御値決定手段は、前記算出色温度が日中光相当の照明の色温度より低く、かつ夕焼け光相当の照明の色温度より低いときには、前記ホワイトバランス制御値を前記最適値にさらに近づけることを特徴とする。
【００１１】
請求項６に記載の電子カメラは、請求項５に記載の電子カメラにおいて、前記ホワイトバランス制御値決定手段は、前記算出色温度が日中光相当の照明の色温度より低く、かつ夕焼け光相当の照明の色温度より低いときには、前記ホワイトバランス制御値を前記最適値に一致させることを特徴とする。
請求項７に記載の電子カメラは、請求項１〜請求項３の何れか一項に記載の電子カメラにおいて、前記ホワイトバランス制御値決定手段は、前記算出色温度が日中光相当の照明の色温度よりも低いときには、前記ホワイトバランス制御値をその照明に対する最適値に近づけることを特徴とする。
【００１２】
請求項８に記載の電子カメラは、請求項１に記載の電子カメラにおいて、前記閃光の非発光中に前記外光の種類を識別する手段を更に備え、前記ホワイトバランス制御値決定手段は、前記識別された種類に応じて、前記算出色温度の範囲と前記反映量との関係を可変することを特徴とする。
請求項９に記載のホワイトバランス制御回路は、閃光撮影可能な電子カメラに適用されるホワイトバランス制御回路であって、前記電子カメラによる閃光撮影で取得された画像データに基づいて、外光と閃光とによる重複照明の色温度を算出する色温度算出手段と、前記算出された色温度である算出色温度に応じて、前記画像データに対するホワイトバランス制御値を決定するホワイトバランス制御値決定手段とを備え、前記ホワイトバランス制御値決定手段は、前記算出色温度が所定範囲に属するときには、前記ホワイトバランス制御値に対する算出色温度の反映量を低減することを特徴とする。
【００１３】
請求項１０に記載のホワイトバランス制御回路は、請求項９に記載のホワイトバランス制御回路において、前記ホワイトバランス制御値決定手段は、前記算出色温度が前記閃光単独の照明の色温度より高いときには、前記ホワイトバランス制御値をその照明に対する最適値に近づけることを特徴とする。
請求項１１に記載のホワイトバランス制御回路は、請求項１０に記載のホワイトバランス制御回路において、前記ホワイトバランス制御値決定手段は、前記算出色温度が前記閃光単独の照明の色温度より高いときには、前記ホワイトバランス制御値をその照明に対する最適値に一致させることを特徴とする。
【００１４】
請求項１２に記載のホワイトバランス制御回路は、請求項９〜請求項１１の何れか一項に記載のホワイトバランス制御回路において、前記ホワイトバランス制御値決定手段は、前記算出色温度が日中光相当の照明の色温度より低いときには、前記ホワイトバランス制御値を前記閃光単独の照明に対する最適値に近づけることを特徴とする。
【００１５】
請求項１３に記載のホワイトバランス制御回路は、請求項１２に記載のホワイトバランス制御回路において、前記ホワイトバランス制御値決定手段は、前記算出色温度が日中光相当の照明の色温度より低く、かつ夕焼け光相当の照明の色温度より低いときには、前記ホワイトバランス制御値を前記最適値にさらに近づけることを特徴とする。
【００１６】
請求項１４に記載のホワイトバランス制御回路は、請求項１３に記載のホワイトバランス制御回路において、前記ホワイトバランス制御値決定手段は、前記算出色温度が日中光相当の照明の色温度より低く、かつ夕焼け光相当の照明の色温度より低いときには、前記ホワイトバランス制御値を前記最適値に一致させることを特徴とする。
【００１７】
請求項１５に記載のホワイトバランス制御回路は、請求項９〜請求項１１の何れか一項に記載の電子カメラにおいて、前記ホワイトバランス制御値決定手段は、前記算出色温度が日中光相当の照明の色温度よりも低いときには、前記ホワイトバランス制御値をその照明に対する最適値に近づけることを特徴とする。
請求項１６に記載のホワイトバランス制御回路は、請求項９に記載のホワイトバランス制御回路において、前記電子カメラは、前記外光の種類を識別することの可能な電子カメラであり、前記ホワイトバランス制御値決定手段は、前記識別された種類に応じて、前記算出色温度の範囲と前記反映量との関係を可変することを特徴とする。
【００１８】
【発明の実施の形態】
以下、図面を参照して本発明の実施形態について説明する。
［第１実施形態］
図１、図２、図３、図４、図５を参照して本発明の第１実施形態について説明する。
【００１９】
本実施形態では、本発明の電子カメラ（本発明のホワイトバランス制御回路を搭載している。）を適用したカメラシステムを説明する。
図１は、本実施形態のカメラシステムの概略構成図である。
カメラシステムは、電子カメラ本体１１、撮影レンズ１２、電子閃光装置１３からなる。例えば、撮影レンズ１２と電子閃光装置１３とは、電子カメラ本体１１に対し着脱可能である。
【００２０】
電子カメラ本体１１には、レリーズ釦などの操作釦１６が設けられ、操作者はその操作釦１６を介して電子カメラ本体１１の状態を非閃光撮影モード／閃光撮影モードなどの間で切り替えたり、電子カメラ本体１１に対し所望のタイミングで撮影の指示を与えることができる。
因みに、電子カメラ本体１１は、例えば、図１に示すような一眼レフレックスカメラである（シャッタ１１ｅ、ＣＣＤ撮像素子１１ｆの他、ミラー１１ａ、スクリーン１１ｂ、ペンタプリズム１１ｃ、接眼レンズ１１ｄなどを備える。）。
【００２１】
なお、電子カメラ本体１１中に点線で示すのは、後述する第２実施形態で使用される測色センサ１１ｈ、及び測色センサ１１ｈへの入射光束を集光する集光レンズである（第１実施形態では、この測色センサ１１ｈ、集光レンズ１１ｇは使用されないので非必須である。）。
非撮影時、ミラー１１ａは点線で示すような「ミラーダウン状態」となり、撮影レンズ１２から入射する被写界からの光束は、ミラー１１ａ、スクリーン１１ｂ、ペンタプリズム１１ｃ、接眼レンズ１１ｄを介して操作者の眼に導かれる。この状態で、操作者は、被写界を目視することができる。なお、この状態で、測色センサ１１ｈによる被写界の測色も可能となる。
【００２２】
撮影時、電子カメラ本体１１内のミラー１１ａは実線で示すような「ミラーアップ状態」となると共にシャッタ１１ｅが駆動され、被写界からの光束によってＣＣＤ撮像素子１１ｆが露光する。この状態で、ＣＣＤ撮像素子１１ｆが駆動されると被写界の画像が取得される。
一方、電子閃光装置１３は、この電子カメラ本体１１に対し、不図示の接点を介して電気的に接続され、その電子カメラ本体１１からの電気信号による指示に従って駆動される。
【００２３】
撮影時、特に、電子カメラ本体１１が閃光撮影モードに設定されていた場合には、前記した露光のタイミングで被写界が照明されるよう、電子カメラ本体１１から電子閃光装置１３に対し閃光発光の指示が与えられる。
なお、電子閃光装置１３の閃光の発光量などが可変である場合、その発光量などについても電子カメラ本体１１から電子閃光装置１３へ指示が与えられる。
【００２４】
図２は、電子カメラ本体１１内に備えられる回路部１５のブロック図である。なお、以上説明した電子カメラ本体１１の動作は、この回路部１５のＣＰＵ１５ａが操作釦１６の操作に応じて電子カメラ本体１１内の各部（ＣＣＤ撮像素子１１ｆ、シャッタ１１ｅ、ミラー１１ａなど）を駆動制御した結果、実現するものである。
【００２５】
回路部１５は、ＣＰＵ１５ａの他、信号処理回路１５ｂ、ホワイトバランス制御回路１５ｃ、色変換回路１５ｄ、階調変換回路１５ｅ、画像メモリ１５ｆなどを有する。これら信号処理回路１５ｂ、ホワイトバランス制御回路１５ｃ、色変換回路１５ｄ、階調変換回路１５ｅ、画像メモリ１５ｆは、ＣＰＵ１５ａによって制御される。
【００２６】
回路部１５には、ＣＣＤ撮像素子１１ｆが取得した画像の信号が入力される。この信号は、信号処理回路１５ｂにおいて所定の信号処理、ホワイトバランス制御回路１５ｃにおいてホワイトバランス処理、色変換回路１５ｄにおいて色変換処理、階調変換回路１５ｅにおいて階調変換処理がそれぞれ施された後、画像メモリ１５ｆに格納される。
【００２７】
ホワイトバランス制御回路１５ｃは、例えば、ホワイトバランス処理部１５ｃ−１、色温度算出部１５ｃ−２、ホワイトバランスゲイン決定部１５ｃ−３を有する。
ホワイトバランス処理部１５ｃ−１は、信号処理回路１５ｂから出力される信号（Ｒ，Ｇ，Ｂ）のＲ成分及びＢ成分（Ｒ，Ｂ）に対し、ホワイトバランスゲイン（Ｋｒ，Ｋｂ）を乗算することにより、ホワイトバランス処理を施すものである。
【００２８】
このホワイトバランスゲイン（Ｋｒ，Ｋｂ）は、撮影毎に（つまり画像毎に）決定される。
決定は、色温度算出部１５ｃ−２、及びホワイトバランスゲイン決定部１５ｃ−３によりなされる。
色温度算出部１５ｃ−２は、信号処理回路１５ｂから出力される１画像分の信号を参照し、その信号に基づく公知の何れかの手法で被写界の照明の色温度を算出する。
【００２９】
ホワイトバランスゲイン決定部１５ｃ−３は、色温度算出部１５ｃ−２の出力する色温度（以下、「算出色温度」という。）に応じて、前記画像に対し最適なホワイトバランスゲイン（Ｋｒ，Ｋｂ）を決定する。
ホワイトバランスゲイン決定部１５ｃ−３には、その決定の処理を簡単にするため、例えば、ルックアップテーブルが備えられる（図２右下表参照）。
【００３０】
ルックアップテーブルには、色温度の各値と、各色温度にそれぞれ最適なホワイトバランスゲイン（Ｋｒ，Ｋｂ）とが互いに対応付けて格納される。
なお、本実施形態では、色温度算出部１５ｃ−２の出力する算出色温度と、ルックアップテーブルを参照する際にそのルックアップテーブルに入力する色温度が同じとは限らないので、後者については、「参照色温度」という。
【００３１】
ここで、非閃光撮影時、被写界を照明しているのは外光のみなので、色温度算出部１５ｃ−２の出力する算出色温度は外光の色温度を示す。一方、閃光撮影時、被写界を照明しているのは外光と閃光との重複照明なので、その算出色温度は重複照明の色温度を示す。
したがって、仮に算出色温度が同じであったとしても、非閃光撮影時と閃光撮影時とでは、最適なホワイトバランスゲイン（Ｋｒ，Ｋｂ）は異なる。
【００３２】
よって、ルックアップテーブルは、非閃光撮影用と閃光撮影用との両方が用意される。
先ず、非閃光撮影用のルックアップテーブルの内容（ホワイトバランスゲイン（Ｋｒ，Ｋｂ））は、各色温度の外光に対する最適値を、それぞれ実測などにより求めたものである。
【００３３】
因みに、低い色温度に対応付けられるものほどＫｂ（Ｂ成分に乗算すべきホワイトバランスゲイン）が高く、高い色温度に対応付けられるものほどＫｒ（Ｒ成分に乗算すべきホワイトバランスゲイン）が高くなっている。
【００３４】
また、非閃光撮影時には、被写界を照明しているのは外光のみなので、前記１画像分の信号から、その外光の種類（蛍光灯であるか否か）を判別することができる。
蛍光灯は、それ以外の外光（非蛍光灯）よりも演色性が低いので、仮に、算出色温度が同じであっても、ホワイトバランスゲイン（Ｋｒ，Ｋｂ）を高くする必要がある。このため、非閃光撮影時、色温度算出部１５ｃ−２は、色温度を算出すると共に、同じ画像の信号に基づいて外光の種類（蛍光灯であるか否か）を判別する。
【００３５】
そして、ホワイトバランスゲイン決定部１５ｃ−３の非閃光撮影用のルックアップテーブルとしては、蛍光灯用と非蛍光灯用とが別に用意され、両者は判別の結果に応じて選択的に使用される（図２右下表参照）。
一方、閃光撮影用のルックアップテーブルの内容（ホワイトバランスゲイン（Ｋｒ，Ｋｂ））は、各色温度の閃光に対する最適値（つまり、閃光単独の照明に対する最適値）を、それぞれ実測などにより求めたものである。
【００３６】
因みに、閃光撮影用のルックアップテーブルにおいても、低い色温度に対応付けられるものほどＫｂ（Ｂ成分に乗算すべきホワイトバランスゲイン）が高く、高い色温度に対応付けられるものほどＫｒ（Ｒ成分に乗算すべきホワイトバランスゲイン）が高くなっている。
但し、この閃光撮影用のルックアップテーブルの内容（ホワイトバランスゲイン（Ｋｒ，Ｋｂ））は、閃光のみに対する最適値であるので、特定の閃光撮影シーン（外光の演色性が閃光のそれと同じであるような閃光撮影シーン）に対してしか適さない。
【００３７】
そこで、本実施形態のホワイトバランスゲイン決定部１５ｃ−３は、閃光撮影時、閃光撮影用のルックアップテーブルの参照方法（算出色温度−参照色温度曲線）に工夫を施す。なお、閃光撮影であるか非閃光撮影であるかについては、ホワイトバランスゲイン決定部１５ｃ−３はＣＰＵ１５ａからの信号により認識する（ＣＰＵ１５ａは、操作釦１６の状態から、電子カメラ本体１１の状態が閃光撮影モードであるか非閃光撮影モードであるかなどを認識している。）。
【００３８】
図３は、ホワイトバランスゲイン決定部１５ｃ−３による閃光撮影用のルックアップテーブルの参照方法（算出色温度−参照色温度曲線）を示す図である。横軸が算出色温度であり、縦軸が参照色温度である。
先ず、ここでは、閃光単独の照明の色温度を、６５００Ｋとする。
通常の閃光撮影では、算出色温度は、その色温度（６５００Ｋ）と同じとなるか、そうでなければ、外光の影響でその色温度（６５００Ｋ）よりも小さくなることが多い。
【００３９】
本実施形態では、仮に、算出色温度が、閃光単独の照明の色温度（６５００Ｋ）よりも高くなったとき（図３（ａ））には、その算出色温度は誤って算出されたものであり、外光と閃光との重複照明の色温度を正確に示していないとみなされる。
例えば、海を背景にした閃光撮影シーンのように、遠くに青色の背景のある閃光撮影シーンについては、海の青色の影響によって、閃光単独の照明の色温度（６５００Ｋ）よりも算出色温度が高く算出される傾向にある。
【００４０】
仮に、この閃光撮影シーンの算出色温度をそのまま参照色温度に使用すると、青味を抑えるようなホワイトバランスゲイン（Ｋｒ，Ｋｂ）が設定されてしまうので、人物などの被写体が不自然に赤味がかって再現されてしまう。
この場合、本実施形態のホワイトバランスゲイン決定部１５ｃ−３は、参照色温度を閃光単独の照明の色温度（６５００Ｋ）に近づける。
【００４１】
例えば、算出色温度の値の大小に拘わらず参照色温度を閃光単独の照明の色温度（６５００Ｋ）に一致させる。
つまり、算出色温度が図３（ａ）の範囲に属するときには、算出色温度−参照色温度曲線は、太点線で示す「参照色温度＝算出色温度」ではなく、「参照色温度＝６５００Ｋ」に設定される。
【００４２】
このようにすれば、海を背景にした閃光撮影シーンの画像も、不自然に赤味がかることなく自然に再現される。
一方、算出色温度が、閃光単独の照明の色温度（６５００Ｋ）以下であり、かつ日中光相当の照明の色温度（ここでは、５２００Ｋとする。）以上であるとき（図３（ｂ））には、算出色温度の信頼性が高いとみなし、算出色温度をそのまま参照色温度とする。
【００４３】
つまり、算出色温度が図３（ｂ）の範囲に属するときには、算出色温度−参照色温度曲線は、太点線で示す「参照色温度＝算出色温度」に設定される。
さらに、本実施形態では、算出色温度が日中光相当の照明の色温度（５２００Ｋ）よりも低いとき（図３（ｃ））には、参照色温度を閃光単独の照明の色温度（６５００Ｋ）に近づける。
【００４４】
特に、算出色温度が、夕焼け光相当の照明の色温度（ここでは、３９００Ｋとする。）以下であるとき（図３（ｄ））には、参照色温度を閃光単独の照明の色温度（６５００Ｋ）にさらに近づける。例えば、算出色温度の値の大小に拘わらず参照色温度を閃光単独の照明の色温度（６５００Ｋ）に一致させる。
つまり、算出色温度が図３（ｄ）の範囲に属するときには、算出色温度−参照色温度曲線は「参照色温度＝６５００Ｋ」に設定される。
【００４５】
なぜなら、遠くに赤色の背景のある閃光撮影シーンは、夕焼けを背景にした場合など、操作者が赤味がかるのを狙って撮影したものであることが多い。このとき、算出色温度は３９００Ｋ又はそれよりも低く算出される。
仮に、この閃光撮影シーンの算出色温度をそのまま参照色温度に使用すると、赤味を抑えるようなホワイトバランスゲイン（Ｋｒ，Ｋｂ）が設定されてしまうので、その赤味が薄れて操作者の意図と異なる色に再現されてしまう。
【００４６】
本実施形態のように、参照色温度を閃光単独の照明の色温度（６５００Ｋ）にすれば、操作者の意図通りの画像が得られる。
なお、算出色温度が図３（ｃ）の（ｄ）以外の範囲に属するときには、算出色温度−参照色温度曲線は、隣り合う直線に連続する曲線、例えば「参照色温度＝１０４００−算出色温度」に設定されることが好ましい。この場合、算出色温度−参照色温度曲線は、全体として、「Ｖ字カーブ」を描く。
【００４７】
以上、本実施形態では、「算出色温度が所定範囲（ここでは、６５００Ｋ以上及び５２００Ｋ以下）にあるときに算出色温度のホワイトバランスゲイン（Ｋｒ，Ｋｂ）に対する反映量を積極的に低減する」という簡単な処理によって、各種の閃光撮影シーンのそれぞれに対応している。
すなわち、本実施形態によれば、閃光撮影時のホワイトバランスゲイン（Ｋｒ，Ｋｂ）が比較的簡単な処理で適切に設定される。
【００４８】
なお、算出色温度−参照色温度曲線を図３に示す「Ｖ字カーブ」にするためのホワイトバランスゲイン決定部１５ｃ−３の動作フローチャートは、例えば図４に示すとおりである。
すなわち、先ず、算出色温度が４つの範囲の何れに属するのかが判別される（ステップＳ１，Ｓ３，Ｓ５）。
【００４９】
４つの範囲とは、３９００Ｋ以下の範囲、３９００Ｋ〜５２００Ｋの範囲、５２００Ｋ〜６５００Ｋの範囲、及び６５００Ｋを上回る範囲である。
３９００Ｋ以下の範囲、又は６５００Ｋを上回る範囲であるときには（ステップＳ１ＹＥＳ，又は、ステップＳ１ＮＯ→Ｓ３ＮＯ→Ｓ５ＮＯ）、参照色温度を６５００Ｋに決定する（ステップＳ２）。
【００５０】
また、５２００Ｋ〜６５００Ｋの範囲であるときには（ステップＳ１ＮＯ，ステップＳ３ＮＯ，ステップＳ５ＹＥＳ）、算出色温度を参照色温度にそのまま使用する（ステップＳ６）。
また、３９００Ｋ〜５２００Ｋの範囲であるときには（ステップＳ１ＮＯ，ステップＳ３ＹＥＳ）、参照色温度を（１０４００−算出色温度）Ｋに決定する（ステップＳ４）。
【００５１】
因みに、図３に示すＶ字カーブは、閾値３９００から閾値５２００までの間隔と、閾値５２００から閾値６５００までの間隔とが均等なので、Ｖ字の左側の傾斜部の設定（図４のステップＳ４における処理）に必要な演算が簡単（加減算）になっている。なお、値「１０４００」は、閾値６５００と閾値３９００との和である。
【００５２】
また、本実施形態のホワイトバランスゲイン決定部１５ｃ−３においては、閃光撮影時の参照色温度の範囲は、３９００Ｋ〜６５００Ｋのみなので、閃光撮影用のルックアップテーブルに用意されるホワイトバランスゲイン（Ｋｒ，Ｋｂ）も、５２００Ｋ〜６５００Ｋに対する最適値のみ（図２右下表中、点線で囲われた部分）でよい。
【００５３】
［第１実施形態の補足］
本実施形態では、夕焼け光相当の照明の色温度を３９００Ｋとしたが、３０００〜４０００Ｋの別の値に代えてもよい。
また、夕焼け光の色温度は、地域によって異なるので、電子カメラの使用地域に応じて最適な値が設定されることが好ましい。
【００５４】
また、本実施形態では、日中光相当の照明の色温度を５２００Ｋとしたが、５０００〜５５００Ｋの別の値に代えてもよい。
また、日中光の色温度は、地域によって異なるので、電子カメラの使用地域に応じて最適な値が設定されることが好ましい。
また、本実施形態では、閃光相当の照明の色温度を６５００Ｋとしたが、６０００〜７０００Ｋの別の値に代えてもよい。
【００５５】
また、閃光の色温度については、電子閃光装置１３の種類や電子閃光装置１３の設定内容によって異なるので、それら種類や設定内容に応じて最適な値に設定されることが好ましい。
また、本実施形態において、閃光撮影用のルックアップテーブルの内容（ホワイトバランスゲイン（Ｋｒ，Ｋｂ））についても、電子閃光装置１３の種類や設定内容に応じたものであることが好ましい。
【００５６】
また、本実施形態では、閃光撮影用のルックアップテーブルとして、各色温度の閃光に対しそれぞれ最適なホワイトバランスゲインを対応付けたルックアップテーブルを用意すると共に（図２参照）、そのルックアップテーブルの参照方法（算出色温度−参照色温度曲線）に工夫を施した（図３参照）が、各算出色温度とそれら算出色温度に対しそれぞれ設定されるべきホワイトバランスゲインとを予め対応付けたルックアップテーブルを用意し、算出色温度をそのまま参照色温度として使用しても、上記説明したものと同じ効果を得ることができる。
【００５７】
また、本実施形態におけるホワイトバランスゲイン決定部１５ｃ−３による閃光撮影用のルックアップテーブルの参照方法（算出色温度−参照色温度曲線）は、図４に示すものに限らず、例えば、図５に示すように変形することもできる。図５に示す曲線は、範囲（ａ）及び範囲（ｄ）において、それぞれ右上がり、及び左下がりとなるよう若干傾きが付与されたものである。
【００５８】
［第２実施形態］
図１、図６、図７を参照して本発明の第２実施形態について説明する。
本実施形態は、第１実施形態の変形例である。第１実施形態との相違点についてのみ説明する。
図１に示すように、本実施形態の電子カメラ本体１１’には、集光レンズ１１ｇ、測色センサ１１ｈが備えられる。この測色センサ１１ｈの出力に基づけば、外光の種類（蛍光灯であるか否か）を識別することができる。また、本実施形態の電子カメラ本体１１’には、回路部１５に代えて回路部１５’が備えられる。
【００５９】
図６に示すように、本実施形態の回路部１５’は、第１実施形態の回路部１５において、ＣＰＵ１５ａに代えてＣＰＵ１５ａ’が備えられ、ホワイトバランス制御回路１５ｃに代えてホワイトバランス制御回路１５ｃ’が備えられたものに等しい。
ホワイトバランス制御回路１５ｃ’は、第１実施形態のホワイトバランス制御回路１５ｃにおいて、ホワイトバランスゲイン決定部１５ｃ−３に代えてホワイトバランスゲイン決定部１５ｃ−３’が備えられたものに等しい。
【００６０】
本実施形態のＣＰＵ１５ａ’は、閃光撮影の直前における測色センサ１１ｈの出力に基づいて、外光の種類（蛍光灯であるか否か）を識別する。
そして、ＣＰＵ１５ａ’はホワイトバランスゲイン決定部１５ｃ−３’に対し、その識別の結果に応じて異なる処理を行わせる。
図７は、ホワイトバランスゲイン決定部１５ｃ−３’による閃光撮影用のルックアップテーブルの参照方法（算出色温度−参照色温度曲線）を示す図である。
【００６１】
先ず、非蛍光灯であると識別されたときには、図７（Ｉ）に示すように第１実施形態と同様の参照方法が採用される（その詳細は第１実施形態を参照。）。
一方、蛍光灯であると識別されたときには、図７（ＩＩ）に示すような参照方法が採用される。以下、具体的に説明する。
算出色温度が日中光相当の照明の色温度（５２００Ｋ）以上であるとき（図７（ＩＩ）（ａ）（ｂ））には、算出色温度−参照色温度曲線は、第１実施形態と同じに設定される。
【００６２】
一方、算出色温度が日中光相当の照明の色温度（５２００Ｋ）よりも低いとき（図７（ＩＩ）（ｃ））には、参照色温度をその照明の色温度（５２００Ｋ）に近づける。例えば、算出色温度の値の大小に拘わらず参照色温度をその照明の色温度（５２００Ｋ）に一致させる。つまり、算出色温度−参照色温度曲線は、「参照色温度＝５２００Ｋ」に設定される。
【００６３】
なぜなら、外光が蛍光灯であり、かつ、算出色温度がこの範囲（図７（ＩＩ）（ｃ））に属するような閃光撮影シーンは、蛍光灯の影響が比較的強いと考えられる。また、夕焼けなどの自然光とは異なり人工光である蛍光灯は、一般の操作者に嫌われる傾向にある。よって、操作者は、この閃光撮影シーンの蛍光灯の雰囲気をなるべく除去したいと望んでいる可能性が高い。
【００６４】
但し、この範囲（図７（ＩＩ）（ｃ））の参照色温度を閃光単独の照明の色温度（６５００Ｋ）に一致させてしまうと、隣接する範囲（図７（ＩＩ）（ｂ））の曲線（算出色温度−参照色温度曲線）と不連続になってしまう。
このため、参照色温度は、閃光単独の照明の色温度（６５００Ｋ）ではなく、日中光相当の照明の色温度（５２００Ｋ）に一致させられる。
【００６５】
この場合、算出色温度−参照色温度曲線は、全体として、「逆Ｚ字カーブ」を描く。
なお、算出色温度−参照色温度曲線を図７（ＩＩ）に示す「逆Ｚ字カーブ」にするためのホワイトバランスゲイン決定部１５ｃ−３’の動作フローチャートは、例えば図８に示すとおりである。なお、図８の冒頭には、外光が蛍光灯であるか否かを判別するステップＳ２１を示した。非蛍光灯である場合（ステップＳ２１ＮＯ）に実行されるのは、第１実施形態の図４に示した動作である。
【００６６】
蛍光灯である場合、先ず、算出色温度が３つの範囲の何れに属するのかが判別される（ステップＳ３，Ｓ５）。
３つの範囲とは、５２００Ｋを下回る範囲、５２００Ｋ〜６５００Ｋの範囲、６５００Ｋを上回る範囲である。
６５００Ｋを上回る範囲であるときには（ステップＳ３ＮＯ→Ｓ５ＮＯ）、参照色温度を６５００Ｋに決定する（ステップＳ２）。
【００６７】
また、５２００Ｋ〜６５００Ｋの範囲であるときには（ステップＳ３ＮＯ，ステップＳ５ＹＥＳ）、算出色温度を参照色温度にそのまま使用する（ステップＳ６）。
また、５２００Ｋを下回る範囲であるときには（ステップＳ３ＹＥＳ）、参照色温度を５２００Ｋに決定する（ステップＳ２４）。
以上、本実施形態では、第１実施形態において、さらに、測色センサ１１ｈの出力から外光の種類（蛍光灯であるか否か）が識別され、その識別された種類に応じて算出色温度の範囲と前記反映量との関係が可変されるものである。
【００６８】
そして、蛍光灯／非蛍光灯の何れであったとしても、「算出色温度が所定範囲にあるときに算出色温度のホワイトバランスゲイン（Ｋｒ，Ｋｂ）に対する反映量を積極的に低減する」という簡単な処理によって、各種の閃光撮影シーンのそれぞれに対応している。
よって、本実施形態においても、閃光撮影時のホワイトバランスゲイン（Ｋｒ，Ｋｂ）が比較的簡単な処理で適切に設定される。
【００６９】
［第２実施形態の補足］
なお、本実施形態では、測色センサとして、撮影レンズ１２を通過した光を受光する測色センサ１１ｈが使用されたが、そのような測色センサの代わりに、電子カメラ本体１１の前面部などに設けられ、被写界の方向から撮影レンズ１２を通過せずに入射する光を受光する外光センサを使用してもよい。
【００７０】
或いは、閃光撮影の直前に電子カメラ本体１１が非閃光撮影を行うこととし、それにより取得された画像に基づいて外光の種類を求めてもよい。
また、本実施形態では、閃光撮影用のルックアップテーブルとして、各色温度の閃光に対しそれぞれ最適なホワイトバランスゲインを対応付けたルックアップテーブルを用意すると共に（図６参照）、そのルックアップテーブルの参照方法（算出色温度−参照色温度曲線）に工夫を施した（７（Ｉ）（ＩＩ）参照）が、各算出色温度とそれら算出色温度に対しそれぞれ設定されるべきホワイトバランスゲインとを予め対応付けたルックアップテーブルを用意し、算出色温度をそのまま参照色温度として使用しても、上記説明したものと同じ効果を得ることができる。
【００７１】
但し、本実施形態では、閃光撮影時の外光が蛍光灯であるときと非蛍光灯であるときとでは、設定されるホワイトバランスゲインが互いに異なるので、この場合の閃光撮影用のルックアップテーブルは、（少なくとも算出色温度が５２００を下回る範囲については）蛍光灯用と非蛍光灯用との２種類を設ける必要がある。
［その他］
なお、上記各実施形態のホワイトバランス制御回路（１５ｃ，１５ｃ’）は、算出色温度が図３（図７）に示す範囲（ａ）に属するとき、及び範囲（ｃ）に属するときのどちらの場合にも、ホワイトバランス制御値（ホワイトバランスゲイン）に対する算出色温度の反映量を低減したが、範囲（ａ）に属するときにのみ低減するよう構成したり、範囲（ｂ）に属するときにのみ低減するよう構成することもできる。
【００７２】
また、上記各実施形態では、ホワイトバランス制御値（ホワイトバランスゲイン）を設定するに当たりルックアップテーブルが使用されているが、その設定に当たり他の方法が適用されてもよいことはいうまでもない。
【００７３】
【発明の効果】
以上説明したとおり、本発明によれば、閃光撮影時のホワイトバランス制御値を比較的簡単な処理で適切に設定することのできる電子カメラ、及びホワイトバランス制御回路が実現する。
【図面の簡単な説明】
【図１】第１実施形態及び第２実施形態のカメラシステムの概略構成図である。
【図２】電子カメラ本体１１内に備えられる回路部１５のブロック図である。
【図３】ホワイトバランスゲイン決定部１５ｃ−３による閃光撮影用のルックアップテーブルの参照方法（算出色温度−参照色温度曲線）を示す図である。
【図４】ホワイトバランスゲイン決定部１５ｃ−３の動作フローチャート（部分）である。
【図５】ホワイトバランスゲイン決定部１５ｃ−３による閃光撮影用のルックアップテーブルの参照方法（算出色温度−参照色温度曲線）の別の例を示す図である。
【図６】回路部１５’のブロック図である。
【図７】ホワイトバランスゲイン決定部１５ｃ−３’による閃光撮影用のルックアップテーブルの参照方法（算出色温度−参照色温度曲線）を示す図である。
【図８】ホワイトバランスゲイン決定部１５ｃ−３’の動作フローチャート（部分）である。
【符号の説明】
１１　電子カメラ本体
１２　撮影レンズ
１１ａ　ミラー
１１ｂ　スクリーン
１１ｃ　ペンタプリズム
１１ｄ　接眼レンズ
１１ｈ　測色センサ
１１ｇ　集光レンズ
１１ｅ　シャッタ
１１ｆ　ＣＣＤ撮像素子
１３　電子閃光装置
１５，１５’　回路部
１６　操作釦
１５ａ，１５ａ’　ＣＰＵ
１５ｂ　信号処理回路
１５ｃ，１５ｃ’　ホワイトバランス制御回路
１５ｃ−１　ホワイトバランス処理部
１５ｃ−２　色温度算出部
１５ｃ−３，１５ｃ−３’　ホワイトバランスゲイン決定部
１５ｄ　色変換回路
１５ｅ　階調変換回路
１５ｆ　画像メモリ
【図１】
2004088684.tif 000003
【図２】
2004088684.tif 000004
【図３】
2004088684.tif 000005
【図４】
2004088684.tif 000006
【図５】
2004088684.tif 000007
【図６】
2004088684.tif 000008
【図７】
2004088684.tif 000009
【図８】
2004088684.tif 000010